(57)【要約】【課題】時間が掛からないで迅速に着用でき、しかも、軽量であるだけでなく身体に具合良くフイットするため対応に遅れなく動作でき、また、仕舞うのに折畳みが不要であり、さらにコスト的に有利となる防護ベストを提供する。【解決手段】弾性変形可能な耐衝撃性に強い硬質プラスチックにより、胸腹部回りに嵌まり得るとともに背面幅中央部に開放口が形成された不完全筒形の胴部と、その前面壁の上端から突出して背当たり側へ山形に反転する左右一対の肩掛けとを一体成形してあって、この成形された縁に沿って軟質弾性材を被着してそれで縁取りがなされている。【選択図】    図１
2008223181.tif 000002
【特許請求の範囲】
【請求項１】
弾性変形可能な耐衝撃性に強い硬質プラスチックにより、胸腹部回りに嵌まり得るとともに背面幅中央部に開放口が形成された不完全筒形の胴部と、その前面壁の上端から突出して背当たり側へ山形に反転する左右一対の肩掛けとを一体成形してあって、この成形された縁に沿って軟質弾性材を被着してそれで縁取りがなされていることを特徴とする防護ベスト。
【請求項２】
弾性変形可能な耐衝撃性に強い硬質プラスチックにより、胸腹部回りの前身頃と背中回りの後身頃とを左右肩掛けとともに一体に形成し、後身頃の両側に横腹当たりとなる前回し片を延長して形成し、前身頃の左右両端部に重ねてそれぞれ前回し片を結合し得るように構成したことを特徴とする防護ベスト。
【請求項３】
前記プラスチックが透明であることを特徴とする請求項１又は２記載の防護ベスト。
【請求項４】
少なくとも胸腹部回りとなる胴部又は前身頃に、外面において波の突部が連続するコルゲート加工が、胴回り方向の波進行方向として形成されていることを特徴とする請求項１，２又は３記載の防護ベスト。
【請求項５】
腹部に上下方向が波進行方向となるコルゲート加工が施された補強板を重ねて一体結合してあることを特徴とする請求項１，２，３又は４記載の防護ベスト。
【発明の詳細な説明】
【技術分野】
【０００１】
この発明は、警備用具や運動用具或いはオートバイ用プロテクター等として主に心臓その他胸部等の胸腹部当たりを守るために着用する防護ベストに関する。
【背景技術】
【０００２】
防護ベストのうち最も厳重なものの一つとしては、警察官が拳銃を持つ凶悪犯を逮捕する場合等に使用する防弾チョッキが挙げられる。これは、図９に示すように、胸腹部に当てる前掛け３０とそれに対向する背当て３２との間に頭を通す穴３４を有する首回り３６を有し、背当て３２の下両端にベルト３８，３８を取り付け、両ベルト３８，３８の端にマジックテープ（登録商標）と称されるベルベット式ファスナーテープによる着巾４０，４０を、前掛け３０の前面にはその被着テープ４２をそれぞれ縫着したものであった。また、前掛け３０は袋状の構造になっており、内部には布等で覆った鋼板４６が内装されていた。
【０００３】
行動しやすくこのような硬く重い鋼板を使用しないものとしては、防弾部分がケプラーという特殊ナイロン繊維布を何枚も重ね合わせてある防弾チョッキも開発され、これには、ジャケットタイプ、アンダーシャツタイプ、ベストタイプ、スーツタイプ等の様々な形態のものがある。
【発明の開示】
【発明が解決しようとする課題】
【０００４】
従来の防護ベストのうち、最初に挙げた図９に示すものは、これを着用するときには、首回り３６の中央に有する穴３４に頭を通してから、背当て３２の両側に有するベルト３８，３８を前に回して、その先端の着巾４０，４０を前掛け３０の被着テープ４２に貼着するとう非常に時間の掛かる一連の作業を要するため、使用に面倒であるばかりでなく、緊急時に間に合わなくなるおそれがあり、また、内装されている鋼板４６のためにそれが固く違和感があり、その融通性のない重さと硬さのために緊急時の動作に遅れをとるという問題があった。
【０００５】
また、他に挙げた各種タイプの防弾チョッキでは、鋼板が使用されていないので違和感がなく着用できるが、特殊材料の使用のためコスト高であり、また、着用するには首回りの穴に首を通す必要があったり、そうでなければ非常に多くの所謂マジックテープ（登録商標）止めを要する複雑な構造となるために、同じように着用が面倒で緊急に対応するのに適しなく、また、仕舞うときの折畳みにも時間が掛かるという不都合があった。
【０００６】
この発明は、上記のような実情に鑑みて、時間が掛からないで迅速に着用でき、しかも、軽量であるだけでなく身体に具合良くフイットするため対応に遅れなく動作でき、また、仕舞うのに折畳みが不要であり、さらにコスト的に有利となる防護ベストを提供することを課題とした。
【課題を解決するための手段】
【０００７】
上記の課題を解決するために、この発明は、弾性変形可能な耐衝撃性に強い硬質プラスチックにより、胸腹部回りに嵌まり得るとともに背面幅中央部に開放口が形成された不完全筒形の胴部と、その前面壁の上端から突出して背当たり側へ山形に反転する左右一対の肩掛けとを一体成形してあって、この成形された縁に沿って軟質弾性材を被着してそれで縁取りがなされていることを特徴とする防護ベストを提供する。
【０００８】
防護ベストを上記のように構成したから、これを着用するときには、胴部を開放口で開拡すると、同時に両肩掛けの間が開くので、このように弾性変形した状態で胴部を上半身に、両肩掛けの間を頸にそれぞれ前から差し込みながら、弾性に任せて閉じると、上半身に胴部が締まって嵌まり開放口も幅狭く保持されるために前方へ脱出することはなく、また、肩掛けが両肩に掛かるために重み等でずれ下がることなく、全体に身体にフイットした安定した着用状態が得られる。また、軟質弾性材の縁取りが身体にやさしいばかりでなく、摩擦でずれが防止されるので、手で胴部を開かない限り脱落することは決してない。逆に不要な場合は即座に取り外し得る。
【０００９】
また、この発明は、弾性変形可能な耐衝撃性に強い硬質プラスチックにより、胸腹部回りの前身頃と背中回りの後身頃とを左右肩掛けとともに一体に形成し、後身頃の両側に横腹当たりとなる前回し片を延長して形成し、前身頃の左右両端部に重ねてそれぞれ前回し片を結合し得るように構成したことを特徴とする防護ベストを提供するものである。
【００１０】
防護ベストを上記のように構成した場合に、これを着用するときは、両肩掛けの間に頭を突っ込んで半ば着用した状態になるばかりでなく、両前回し片が手先近くの前に出ているので、それを少し前に持ってくるだけで前身頃に接続し、ワンタッチに近い操作で直ちに安定した着用状態を得ることができる。
【発明の効果】
【００１１】
以上説明したように、この発明の防護ベストによれば、言わばワンタッチの速さで即座に着用して遅れることなく危険等に対応でき、不要なときの取り外しも容易であり、しかも、軽量であるだけでなく身体に具合良くフイットするため危険を防ぐ動作性が良く、また、仕舞うために折り畳む必要がなく保管が容易であり、さらに量産に適し安価な提供が可能であるという優れた効果がある。
【００１２】
また、透明体にしたときには（請求項３）、着衣が透けて見えるので、違和感がなくさりげなく着用できる。また、請求項４の如くコルゲート加工が施されていると、それがリブとして防備が堅固となり、さらに、請求項５のように腹部を補強板で強化すると、さらに安全性が向上する。
【００１３】
一方、従来品は、被服（被着）面の一部に内装されている鋼板部分にしか防護機能が無かったが、本発明の防護ベストは、被服面全体が均一防護機能を持っており、特に脇腹部分の防護機能が高くなっている。また従来品は、繊維布を使用しているため、雨天時には水を吸収し、重くなったり、その後の乾燥、保管等が大変であったが、本発明の防護ベストは、水をはじく完全防水型素材であるので、防水・防寒に優れている。
【発明を実施するための最良の形態】
【００１４】
次に、この発明の実施形態を図面に基づいて説明する。
【００１５】
図面は一実施の形態を示したもので、その防護ベストＰは、胴部１とその上端に突設される左右一対の肩掛け３，３とが弾性変形可能な衝撃に強い透明プラスチックで一体成形され、端縁に軟質弾性材５が嵌着され全体に縁取りがなされている。警備員用としての一実施の形態として示したものであるが、ほゞ同様の形態において野球のキャッチャーのプロテクトや、空手や剣道における防御胴としても実施できる。
【００１６】
胴部１は、使用者の胸部や腹部（胸腹部）に当たる円筒形に近い筒形であるが、背中央が開放される不完全筒形であって、背面幅中央部に開放口７を有する。そこで、着用するときには、図３に二点鎖線で示すように、開放口７を開拡するように胴部１を開くことにより上半身に前から差し入れることができる。
【００１７】
胴部１は周壁が縦に直となるストレート形でも良いが、樽形に膨らみを持たせると体型によっては具合が良く、また、これは一種のリブ形状でもあるので耐衝撃強度が増すことにもなる。しかし、膨らみがあると開放口７が開き難くなるので、図４に示す如く前面壁１３に優先的に形成するのが良い。また、女性用の場合であると、同図に二点鎖線で示すように、乳房の部分をカップ状に張り出して突部９を形成しておくことが望ましい。
【００１８】
肩掛け３，３は、胴部１の前面壁１３の上端から突出し山形に背中側へ反転する形状であって、両肩掛け３，３の間には首抜け１１が開口している。そこで、着用する場合に、前記したように胴部１を開くと、両肩掛け３，３が股開き状に開くことになるので、その間を頸に差し入れると同時に胴部１を上半身に差し込み、後は弾性に任せて閉じると胴部１と共に肩掛け３，３が身体に密着する。なお、一層抜けがたく、両肩掛け３，３の間が後ろに幅狭くしてある。
【００１９】
胴部１と肩掛け３，３とは、射出成形またはプレス成形により一体に成形される。作業性やコスト面からすると、例えば２〜５ｍｍ厚のプラスチック板材を素材とするプレス成形が望ましい。また、熱可塑変形により弾性変形しやすい性質が付与される。プラスチックは、透明、半透明、不透明のいずれであっても良いが、透明であると、下の着衣が透けて見えることから仰々しさがなく、相手に警戒心を起こさせなく着用できる。また、警備用として使用する場合、下の着衣に反射帯１５が縫着されているときには（図２）、夜間にそれが遠くからでも透けて見えることになり、交通の安全性が得られる利点がある。
【００２０】
プラスチックの材質としてはこの発明に適すれば特に限定しないものの、耐衝撃性や弾性変形性、耐熱性、透明性等からみると例えばポリカーボネートが望ましい。また、特に、防弾性のように超耐衝撃性が要求されるような場合には、特殊ナイロン繊維入りやガラス繊維入り、カーボン繊維入り等の強化プラスチック製とする。着脱が容易であるので、防弾には不完全であっても、いざという場合に、防弾チョッキの上に着用して即座にその補助として万全防備で臨むことができる。
【００２１】
縁取りの軟質弾性材５としては、合成ゴムないし軟質プラスチックが使用に適しており、これが胴部１と肩掛け３，３と双方にわたって縁に被着して接着されている。これがあることにより、剛性のプラスチックの縁が身体に直接触れる不都合が防止されるとともに、着衣に対して摩擦が得られるので、これにより防護ベストＰが身体から脱落する不都合が防止される。また、例えば黒で着色された縁取りがあることにより、殊に胴部１と肩掛け３，３とが透明であると、フアッション性に優れてデザイン的に体裁を図ることができる。しかし、この軟質弾性材５が透明であってもデザイン的に良好である。
【００２２】
なお、特に激しい動作が強いられる場合に、脱落しないよう身体に対する被着性を高めるために、ベルベット式ファスナーテープ等で開放口７を閉じるようにしても、防護ベストＰの形状が安定しており、開放口７を閉じる構造も簡潔となることからこの発明の趣旨に反しないものとなる。また、開放口７を閉じるバンドを着脱可能な付属品としておくこともできる。
【００２３】
図６および図７は、それぞれ防護ベストの壁構造が単なる板状ではない他の実施形態を示すものである。図６は硬質プラスチックの板にコルゲート加工が施された波板１８単独であり、、図７ではコルゲート加工が施された波板１８と平板１９とからなる片面段ボール構造である。いずれも外面が波の突部２１が連続する。
【００２４】
上記のような図１の形態において、胴部１において図６、図７に示すように波進行方向が横となる構造を採ると、刃物や投石等の衝撃に対してリブとしての作用を果たすために安全である。また、刃物の突き出しに遭遇したときには、それが滑って腕に逸れて腕に刺される危険を連続する波の突部２１，２１，・・で安全に止めて危険を回避できる。
【００２５】
図８は、他の実施形態の防護ベストＰを示したものであって、この場合も、前記実施形態（図１）の場合と同様に、硬質プラスチックで一体成形することもあるが、図示では、図７に示す片面段ボール形状においてほゞ全体を形成した場合を示した。
【００２６】
同防護ベストＰは、胸腹部当たりとなる前身頃２３と、背中当たりとなる後身頃２５とを上端で左右一対の肩掛け２７，２７で連結した場合であって、後身頃２５の両側から延長して前回し片２９，２９が形成される。そして、前身頃２３と後身頃２５と前回し片２９，２９とを縦筋となるように、波進行方向が横回りとなる突部２１，２１，・・が連続する片面ダンボール構造に形成される。こうしたときは、前回し片２９，２９が前身頃２３に近く突き出ることになるので、直ちにそれを前身頃２３に重ねて、ベルベット式のファスナーテープ３１ａ、３１ｂで止めることにより着用状態が保持されるようにした。ただし、例えば、アリ穴とアリとの結合により前回し片２９を前身頃２３に結合するというように他の連結構造を採ることもできる。
【００２７】
両肩掛け２７，２７については、肩の前後へ回り得るように逆に波進行方向が前後方向となる片面ダンボール構造とした。いずれにしても、全体が硬質プラスチックの材質から着用状態に近い全体的構造（図８）となっているので、両肩掛け２７，２７の間に頭を通すと、ほゞ着用状態となり、直ぐに両連結片２９，２９を前身頃２３にファスナーテープ３１ａ、３１ｂで止めて着用が完了する。したがって、危険に対しては即座に対応できる。また、身体では軟弱である下腹部に当たる箇所が補強板３３を当てることで強化されるが、ここでは刃物が逸れても腕に至る危険性が少ないので、波進行方向を下地と直行する上下方向として合理的に強化される。さらに、この実施例形態は、防水性にも優れ、高い防雨防護ベストであると言える。
【図面の簡単な説明】
【００２８】
【図１】この発明の一実施形態を示す防護ベストの斜視図である。
【図２】同防護ベストの使用状態を示す斜視図である。
【図３】同防護ベストの平面図である。
【図４】図３のＡ−Ａ線矢視の断面図である。
【図５】図４のＢ−Ｂ線矢視の拡大断面図である。
【図６】他の実施形態として、胴部等の壁構造を示す拡大した断面図である。
【図７】さらに他の実施形態として、胴部等の壁構造を示す拡大断面図である。
【図８】この発明の他の実施形態を示す防護ベストの斜視図である
【図９】従来例を示す防弾チョッキの正面図である。
【符号の説明】
【００２９】
１  胴部
３  肩掛け
５  軟質弾性材
７  開放口
１３  前面壁
２１  波の突部
２３  前身頃
２５  後身頃
２７  肩掛け
２９  前回し片
３３  補強板
【図１】
2008223181.tif 000003
【図２】
2008223181.tif 000004
【図３】
2008223181.tif 000005
【図４】
2008223181.tif 000006
【図５】
2008223181.tif 000007
【図６】
2008223181.tif 000008
【図７】
2008223181.tif 000009
【図８】
2008223181.tif 000010
【図９】
2008223181.tif 000011